(57)【要約】【課題】自動車用の小物収納具で、ティッシュボックスも収納することができ、しかもティッシュペーパー取出口やティッシュペーパー自体が露出せずに、外観、美観を損ねることのない構造を提供する。【解決手段】内側収納部２と、内側収納部２と外側収納部３の間の隔壁４のほぼ中央部に水平方向に長孔４ａを開口し設けたことで、ティッシュボックスを収納使用時、外観からティッシュペーパー取出口１１ａ及びティッシュペーパー１１ｂが露呈することがなく、自動車のインテリアや自動車用小物収納具１自体の外観、美観を損ねることがなくなった。また、内側収納部２の背面側上部に取付フラップ５を設けるとともに、取付フラップ５には上部取付ベルト５ａを備え、内側収納部の背面には下部取付ベルト５ｂを備えたのでアームレスト１０に巻付けて装着することも可能となった。更に、取付フラップ５を外側収納部３側に反転させてることで、内側収納部と外側収納部の開閉自在な蓋とすることが可能となった。【選択図】  図１
2004217190.tif 000002
【特許請求の範囲】
【請求項１】
有底の箱状で、上方向を開放した内側収納部と、該内側収納部の前面側に隔壁を隔てて設けられた外側収納部を設けるとともに、該隔壁には、水平方向に長孔が開口し設けられていることを特徴とする自動車用小物収納具。
【請求項２】
内側収納部の背面側上部には取付フラップを設け、該取付フラップには上部取付ベルトを備えるとともに、内側収納部の背面には上部取付ベルトと共同してアームレストに巻き付け固定するための下部取付ベルトを設けたことを特徴とする請求項１に記載の自動車用小物収納具。
【請求項３】
取付フラップを外側収納部側に反転させて内側収納部と外側収納部の蓋としたことを特徴とする請求項１に記載の自動車用小物収納具。
【発明の詳細な説明】
【０００１】
【発明の属する技術分野】
本発明は、自動車用小物収納具にティッシュボックスを収納するための構造に関する。
【０００２】
【従来の技術】
従来、自動車の室内で小物を収納するための収納具が種々提案されており、ティッシュボックスも収納できるように工夫されたものが提案されている。
これらの収納具は、小物収納部と、ティッシュボックス収納部がそれぞれ別に設けられている。
このようなものは、例えば実用新案登録第３０８１８６１号「自動車用もの入れ」（特許文献１）、実用新案登録第３０３００８０号「自動車の前部座席間の多機能物入れ」（特許文献２）が提案されている。
【０００３】
第４図は、それを示す特許文献１の第２図である。
図５図は、それを示す特許文献２の第１図である。
【０００４】
【特許文献１】実用新案登録第３０８１８６１号公報
【特許文献２】実用新案登録第３０３００８０号公報
【０００５】
【発明が解決しようとする課題】
しかしながら、特許文献１及び特許文献２に示した従来の手段においては、
小物収納部と、ティッシュボックス収納部を各々別体としているため、全体寸法が大きくなる。また、ティッシュボックス収納部の存在が顕わであり、ティッシュペーパーの先端部が露呈するので、自動車室内のインテリアや、収納具自体の美観を損ねる。
そこで本発明は、自動車室内で小物を収納するための収納具で、必要に応じてティッシュボックスも収納して使用することができるコンパクトで利便性があり、しかも自動車室内のインテリアや、収納具自体の外観や美観を損ねることのない、自動車用小物収納具を提供することを目的としている。
【０００６】
【課題を解決するための手段】
上記の課題は本発明によれば、有底の箱状で、上方向を開放した内側収納部と、該内側収納部の前面側に隔壁を隔てて設けられた外側収納部を設けるとともに、該隔壁には、水平方向に長孔を開口し設けることで解決される。
また、上記の課題は内側収納部の背面側上部に取付フラップを設け、該取付フラップには上部取付ベルトを備えるとともに、内側収納部の背面には上部取付ベルトと共同してアームレストに巻き付け固定するための下部取付ベルトを設けたことで解決される。
さらに、上記の課題は取付フラップを外側収納部側に反転させて、内側収納部と外側収納部の蓋としたことで解決される。
【０００７】
【発明の実施の形態】
次に本発明を図１から図３に示す実施の形態に基づいて詳細に説明する。
図中１は、本発明の自動車用小物収納具である。有底の箱状で、上方向を開放した内側収納部２と、該内側収納部２の前面側に隔壁４を隔てて設けられた薄いポケット状の上方を開放させた外側収納部３を有する。隔壁４には、図２（Ａ）に示すように概中央部に水平方向に長孔４ａが開口し設けられている。
内側収納部２の背面側上部には自動車のアームレスト１０に本発明の自動車用小物収納具１を取り付けるための取付フラップ５が設けられ、該取付フラップ５には上部取付ベルト５ａを備える。また、内側収納部２の背面には、上部取付ベルト５ａと共同してアームレスト１０に巻き付け固定するための下部取付ベルト５ｂが設けられている。上部取付ベルト５ａと下部取付ベルト５ｂは、各々先端に両者を接合するための止着具（本実施例では面ファスナーとするが、スナップファスナーでも良い。特に図示せず。）が設けられる。
また、自動車用小物収納具１の外側収納部３の表面には、取付フラップ５を反転させて内側収納部２と外側収納部３の蓋とする際に、上部取付ベルト５ａを着脱可能に接合するための止着具６が設けられる。
【０００８】
本発明の自動車用小物収納具１を、自動車の座席のアームレスト１０に装着する場合、第３図（Ａ）に示すように、取付フラップ５をアームレス１０に上方から覆い被せ、上部取付ベルト５ａと下部取付ベルト５ｂ各々の先端に設けられた面ファスナーで止着接合することで装着される。アームレストに装着する際は、運転席であれば、左側アームレストの自動車進行方向中央側（ドライバーとは反対側）に自動車用小物収納具１が位置するように装着するとドライバーの邪魔にならず使い勝手が良い。
内側収納部２には、第１図に示されるように身の回りの小物類、例えば飲料容器、携帯電話機、眼鏡等を収納することが可能である。外側収納部３は、薄いポケット状になっているので、高速道路の通行券や領収書、メモ帳等の薄物を収納するのに適している。
【０００９】
内側収納部２には、第２図（Ａ）に示すようにティッシュボックス１１を収納することが可能である。この場合、内側収納部２にティッシュボックス１１のティッシュペーパー取出口１１ａが、隔壁４に開口し設けられた長孔４ａと一致するように収納する。このようにして内側収納部２に収納されたティッシュボックス１１は、長孔４ａからティッシュペーパー１１ｂを引き出して使用するが、長孔４ａは外側収納部３の内部に設けられているので、外観からティッシュペーパー取出口１１ａ及びティッシュペーパー１１ｂが露呈することなく、自動車のインテリアや自動車用小物収納具１自体の外観、美観を損ねることがない。（第２図（Ｂ）では判りやすいようにティッシュペーパー先端部を露呈させた。）
【００１０】
内側収納部２上部の取付フラップ５が設けられた基部近傍には両側に紐を通すためのハトメ５ｃが設けられており、アームレスト１０を有さない自動車で本発明の自動車用小物収納具１を使用する際に使用する。その場合、特に図示しないがハトメ５ｃに紐を通して、自動車の座席のヘッドレストのポール等の適宜な場所に取付けあるいは吊下げて使用する。
このようにして使用する場合は、取付フラップ５は無用となるため、外側収納部３側に反転させることにより内側収納部２及び外側収納部３の蓋とすることができ、取付フラップ５に備えられた上部取付ベルト５ａの止着具と、外側収納部３の外側に設けられた止着具６とで着脱することにより開閉自在な蓋とすることができる。
【００１１】
本実施例では、取付フラップ５を、外側収納部３側に反転させて蓋にする際、取付フラップ５に設けられた上部取付ベルト５ａと、外側収納部３の外側に設けられた止着具６とで着脱開閉自在な蓋としたが、取付フラップ５にスナップファスナー等の止着具を設け、外側収納部３の外側にも対応するスナップファスナーを設けて開閉可能にしても良い。
【００１２】
【発明の効果】
以上説明した本発明により、内側収納部２と、内側収納部２と外側収納部３の間の隔壁４のほぼ中央部に水平方向に長孔４ａを開口し設けたので、ティッシュボックスを収納して、長孔４ａからティッシュペーパー１１ｂを引き出して使用することが可能になる。尚且つ長孔４ａは外側収納部３の内部に設けられているので、外観からティッシュペーパー取出口１１ａ及びティッシュペーパー１１ｂが露呈することなく、自動車のインテリアや自動車用小物収納具１自体の外観、美観を損ねることがない。
また、内側収納部２上部の取付フラップ５が設けられた基部近傍の両側にはハトメ５ｃを設けたので、アームレスト１０を有さない自動車で使用する場合は、ハトメ５ｃに紐を通して、自動車の座席のヘッドレストのポール等の適宜な場所に取付けたり吊下げて使用する。
更にこのようにして使用する場合は、取付フラップ５は無用となるため、外側収納部３側に反転させ、止着具６によって開閉自在な蓋とすることが可能になる等実用性に優れた効果を奏するものである。
【図面の簡単な説明】
【図１】本発明の実施例の外観説明図である。
【図２】（Ａ）内部にティッシュボックスを収納しようとする状態を示した外観説明図である。
（Ｂ）内部にティッシュボックスを収納し、ティッシュペーパーを露出させた状態を示す外観説明図である。
【図３】（Ａ）アームレストへの取付方法を示す外観説明図である。
（Ｂ）アームレストに取付けた状態を示す外観説明図である。
【図４】特許文献１の第２図である。
【図５】特許文献２の第１図である。
【符号の説明】
１      自動車用小物収納具
２      内側収納部
３      外側収納部
４      隔壁
４ａ    長孔
５      取付フラップ
５ａ    上部取付ベルト
５ｂ    下部取付ベルト
５ｃ    ハトメ
６      止着具
１０      アームレスト
１１      ティッシュボックス
１１ａ    ティッシュペーパー取出口
１１ｂ    ティッシュペーパー
【図１】
2004217190.tif 000003
【図２】
2004217190.tif 000004
【図３】
2004217190.tif 000005
【図４】
2004217190.tif 000006
【図５】
2004217190.tif 000007